(57)【特許請求の範囲】
【請求項１】
噴射物を収納する缶本体と該缶本体に対して押下することで噴射物を噴射させる押下部とを有するスプレー缶を保持した状態において前記押下部を押下可能に構成された間接活線工具に用いるアダプタであって、
間接活線工具の先端に設けられる開閉自在な一対の把持部のうちの一方の把持部に前記缶本体を保持すべく取り付けられる缶本体保持部材と、
前記一方の把持部に保持されたスプレー缶の押下部を押下すべく他方の把持部に取り付けられる押部材とを備えていることを特徴とする間接活線工具に用いるアダプタ。
【請求項２】
前記缶本体保持部材が、前記一方の把持部に取り付けられる固定部と、前記押部材との間の距離を調整可能に取り付けられ前記缶本体を収容して保持する保持部とを備えていることを特徴とする請求項１に記載の間接活線工具に用いるアダプタ。
【請求項３】
前記缶本体保持部材が前記一方の把持部に着脱自在に取り付けられるとともに、前記押部材が他方の把持部に着脱自在に取り付けられていることを特徴とする請求項１又は請求項２に記載の間接活線工具に用いるアダプタ。
【請求項４】
前記保持部に収容された缶本体の上部に巻き付ける帯状又は紐状の巻き部材を前記固定部に備えていることを特徴とする請求項２に記載の間接活線工具に用いるアダプタ。
【発明の詳細な説明】
【技術分野】
【０００１】
本発明は、スプレー缶に収容された噴射物を電線に離れた位置から噴射するための間接活線工具に用いるアダプタに関する。
【背景技術】
【０００２】
近年、鳥類が金属材料を運んできて、その金属材料を電線間に掛け渡して巣を作ることがある。この場合、金属材料が電線間を短絡させて停電等のトラブルを引き起こすことがある。そのため、電線に鳥類忌避剤を塗布して鳥類による上記トラブルを防止することが行われる。この塗布時には、活線（通電）状態で行われるため、電線からできる限り遠ざかった位置から安全に塗布作業が行えるように、間接活線工具を用いて鳥類忌避剤を電線に噴射させることが行われている。
【０００３】
具体的には、間接活線工具にガン把持部を取り付け、そのガン把持部で鳥類忌避剤注出用ガンを把持し鳥類忌避剤を噴射させるようにしている。このように、鳥類忌避剤注出用ガンを間接活線工具によって操作することによって、鳥類忌避剤を活線状態の電線に対して離れた位置で安全に作業することができる（例えば、特許文献１参照）。
【先行技術文献】
【特許文献】
【０００４】
【特許文献１】特開２００８−１４８３９０号公報
【発明の概要】
【発明が解決しようとする課題】
【０００５】
上記構成の鳥類忌避剤注出用ガンは、大型で重量がある。このため、間接活線工具で鳥類忌避剤注出用ガンを把持しながら鳥類忌避剤の噴射操作を行うことが非常に労力を要するものであった。
【０００６】
そこで、鳥類忌避剤抽出用ガンよりも小型で軽量な鳥類忌避剤が入ったスプレー缶を用いることがある。また、鳥類忌避剤が入ったスプレー缶以外のスプレー缶を用いて他の作業を行うこともある。例えば、冬場等の乾燥した時期に、高圧配電線からパルス雑音が発生することを防止するために、導電性材料が入ったスプレー缶により高圧配電線に導電性材料を噴射して塗布することがある。
【０００７】
上記のようなスプレー缶の場合には、間接活線工具でスプレー缶自体を把持することができるものの、スプレー缶の噴射物を噴射させる押下部を押すことができない。そのため、高圧ゴム手袋及び防具を着用してから、高圧配電線等の作業場所まで近づき、スプレー缶の押下部を直接高圧ゴム手袋を着用した手で押して噴射物を噴射させるようにしている。このため、感電等の危険性があり、改善の余地があった。
【０００８】
そこで、本発明は、スプレー缶の押下部を作業場所から離れた位置で押すことができる間接活線工具に用いるアダプタを提供することを課題とする。
【課題を解決するための手段】
【０００９】
本発明に係る間接活線工具に用いるアダプタは、噴射物を収納する缶本体と該缶本体に対して押下することで噴射物を噴射させる押下部とを有するスプレー缶を保持した状態において前記押下部を押下可能に構成された間接活線工具に用いるアダプタであって、間接活線工具の先端に設けられる開閉自在な一対の把持部のうちの一方の把持部に前記缶本体を保持すべく取り付けられる缶本体保持部材と、前記一方の把持部に保持されたスプレー缶の押下部を押下すべく他方の把持部に取り付けられる押部材とを備えていることを特徴とする。
【００１０】
かかる構成によれば、一方の把持部に取り付けられる缶本体保持部材にスプレー缶の缶本体が保持され、その保持されたスプレー缶の押下部を他方の把持部に取り付けられる押部材により押すことができるので、高圧配電線等の作業場所から遠ざかった位置で間接活線工具を用いてスプレー缶内の噴射物を噴射することができる。
【００１１】
また、本発明に係る間接活線工具に用いるアダプタは、前記缶本体保持部材が、前記一方の把持部に取り付けられる固定部と、前記押部材との間の距離を調整可能に取り付けられ前記缶本体を収容して保持する保持部とを備えていることが好ましい。
【００１２】
かかる構成によれば、高さの異なるスプレー缶の缶本体を保持部に収容した際に、押部材との間の距離を調整することができるので、押部材によりスプレー缶の押下部を押下する高さを常に同一高さにすることができる。よって、高さの異なるスプレー缶を複数用いる場合であっても、他方の把持部に取り付けられる押部材でスプレー缶の押下部を確実に押すことができるだけでなく、噴射物が噴射される高さを常に同一高さにできるので、噴射作業を効率よく行うことができる。
【００１３】
また、本発明に係る間接活線工具に用いるアダプタは、前記缶本体保持部材が前記一方の把持部に着脱自在に取り付けられるとともに、前記押部材が他方の把持部に着脱自在に取り付けられていることが好ましい。
【００１４】
かかる構成によれば、缶本体保持部材が一方の把持部に着脱自在に取り付けられるとともに、押部材が他方の把持部に着脱自在に取り付けられているので、缶本体保持部材及び押部材を取り外して、他のアダプタを取り付ける、あるいは間接活線工具のみで作業することができる。
【００１５】
また、本発明に係る間接活線工具に用いるアダプタは、前記保持部に収容された缶本体の上部に巻き付ける帯状又は紐状の巻き部材を前記固定部に備えていることが好ましい。
【００１６】
かかる構成によれば、帯状又は紐状の巻き部材を保持部に収容された缶本体の上部に巻き付けることによって、噴射作業中に缶本体が動くことがないように固定できる。よって、缶本体が不測に回転して、噴射方向が変更されてしまうといったことがない。よって、噴射作業を効率よく行うことができる。
【発明の効果】
【００１７】
以上のように、本発明によれば、缶本体保持部材と、スプレー缶の押下部を押下する押部材とを備えることによって、スプレー缶の押下部を作業場所から離れた位置で押すことができる間接活線工具に用いるアダプタを提供することができる。
【図面の簡単な説明】
【００１８】
【図１】本発明の一実施形態に係る間接活線工具に取り付けたアダプタにスプレー缶を保持した側面図を示し、（ａ）は、スプレー缶の押下部を押す直前の状態を示し、（ｂ）は、スプレー缶の押下部を押して噴射物を噴射している状態を示している。
【図２】押部材を示し、（ａ）は、側面図、（ｂ）は、底面図である。
【図３】缶本体保持部材を示し（ａ）は、側面図、（ｂ）は、正面図、（ｃ）は、高さの異なるスプレー缶を収容した状態の側面図、（ｄ）は、高さの異なるスプレー缶を収容した状態の正面図、（ｅ）は、平面図である。
【図４】他の実施形態に係る間接活線工具に取り付けたアダプタにスプレー缶を保持した側面図を示し、（ａ）は、スプレー缶の押下部を押す直前の状態を示し、（ｂ）は、スプレー缶の押下部を押して噴射物を噴射している状態を示している。
【発明を実施するための形態】
【００１９】
本発明に係る間接活線工具に用いるアダプタを図面に基づいて説明する。図１（ａ），（ｂ）には、間接活線工具にアダプタ１が取り付けられ、そのアダプタ１にスプレー缶２が保持されている。スプレー缶２としては、鳥類忌避剤が入ったものや、導電材料が入ったものや、塗料（インク）が入ったもの等、使用状況に応じて各種のものを用いる。
【００２０】
スプレー缶２は、噴射物を収納する缶本体３と、缶本体３に対して押下することで噴射物を噴射させる押下部４とを備える。押下部４は、噴射口を突没動作により開閉するステム４Ａと、ステム４Ａの上側を覆って前方側へ噴射物を案内するキャップ４Ｂとを備えている。
【００２１】
まず、間接活線工具について説明すれば、図１（ａ），（ｂ）に示すように、開閉自在な金属製の一対のＣの字形状の把持部５，６と、把持部５，６を開閉操作させる操作部７とが設けられ、把持部５，６に本発明のアダプタ１が着脱自在に取り付けられている。
【００２２】
操作部７は、絶縁材からなるパイプ状の操作ロッド８と、操作ロッド８に対して略平行
に設けられる絶縁材からなるパイプ状の連結ロッド９と、アルミ合金製の略Ｌ形状の操作レバー１０とを備え、操作ロッド８の先端に取付金具１１を介して前記一対の把持部５，６が取り付けられている。操作ロッド８の中間部の２か所のそれぞれには、絶縁傘１２を備えている。また、連結ロッド９の中間部にも、絶縁傘１３を備えている。更にまた、操作レバー１０は、操作ロッド８の基端部側に取り付けられた支持部材１４に支軸１５を介して揺動自在に取り付けられている。前記支軸１５には、コイルスプリング（図示せず）が設けられ、操作レバー１０を、図１（ａ）に示す揺動姿勢（つまり、一対の把持部５，６が開いた姿勢となるよう）に付勢している。
【００２３】
取付金具１１は、操作ロッド８の先端に取り付けられる基部１１Ａと、基部１１Ａの先端に一体に設けられる把持部用取付部１１Ｂとを備えている。把持部用取付部１１Ｂに一方の把持部５の基端が固定され、他方の把持部６が支軸１６によって回動自在に取り付けられている。従って、図１（ｂ）に示すように、操作レバー１０を握って揺動操作することによって、連結ロッド９が操作レバー１０側へ引っ張られることで、他方の把持部６が回転して、一方の把持部５に他方の把持部６が接近移動して一対の把持部５，６を閉じた姿勢にすることができる。
【００２４】
アダプタ１は、スプレー缶２を保持すべく一方の把持部５に着脱自在に取り付けられる缶本体保持部材１７と、スプレー缶２の押下部４を押下すべく他方の把持部６に着脱自在に取り付けられる押部材１８とを備えている。
【００２５】
缶本体保持部材１７は、一方の把持部５が差し込まれて固定される金属製の基部１９と、基部１９の先端に取り付けられる金属製の固定部２０と、押部材１８との間の距離を調整可能に固定部２０に取り付けられ缶本体３の底を支持する金属製の保持部２１とを備えている。
【００２６】
基部１９は、後端に一方の把持部５を挿入するための挿入用の開口（図示せず）が形成された箱型状に構成され、把持部５に形成された孔（図示せず）に係止する係止ピン（図示せず）を係止操作するための摘み１９Ａを備えている。従って、基部１９に把持部５を挿入し、係止ピンを把持部５の孔に係止することによって、把持部５が基部１９から抜けることがないように把持部５に基部１９を固定することができる。
【００２７】
固定部２０は、図３（ａ），（ｂ），（ｅ）にも示されるように、一方の把持部５の横幅よりも小さな横幅を有し、基部１９の先端面１９Ｂに溶接（接着でもよい）により固定され、上下方向下方に延びる縦長状で、かつ、下端に形成された開口を通して内部に板部材２２を収容可能な空間２０Ａが形成されている。また、固定部２０の下部の裏面側には、固定部２０に収容した板部材２２を固定部２０に固定するための回転操作部２３を備えている。
【００２８】
回転操作部２３は、図３（ａ）に示すように、固定部２０の下部の裏面側に形成されたネジ孔２０Ｂに捩じ込まれて先端が板部材２２の後面に当接する螺軸２３Ａと、螺軸２３Ａの基端に取り付けられ螺軸２３Ａを回転操作するための回転ハンドル２３Ｂとを備えている。従って、回転ハンドル２３Ｂを一方向へ回転させることによって、固定部２０の内部側へ螺軸２３Ａを移動させ、螺軸２３Ａの先端が板部材２２の後面に当接する（図３（ａ），（ｃ）参照）。これにより、板部材２２を固定部２０に固定することができる。回転ハンドル２３Ｂを前記回転とは反対方向へ回転させることによって、板部材２２の後面に当接している螺軸２３Ａを固定部２０の外側へ移動させ、固定部２０に対して板部材２２をフリーにすることができる。この状態において、板部材２２を固定部２０に対して上下方向へ移動させることによって、押部材１８との間の距離、つまり固定部２０に対する保持部２１の高さ位置を調整することができる。高さ調整が終わると、前述したように、回転ハンドル２３Ｂを一方向へ回転させて、板部材２２を固定部２０に固定する。
【００２９】
板部材２２は、固定部２０内に収容される縦長状の本体部２２Ａと、本体部２２Ａの下端に前方に延出された前側部２２Ｂとを備え、前側部２２Ｂの前端に缶本体保持部材１７の保持部２１が溶接（接着でもよい）により取り付けられている。
【００３０】
保持部２１は、スプレー缶２の缶本体３を収容することができる直径を有する有底円筒状に構成されている。従って、保持部２１に缶本体３を収容した状態では、缶本体３の底を支持するとともに缶本体３の下部を覆っている。
【００３１】
保持部２１の上方の固定部２０に、保持部２１に収容されたスプレー缶２の缶本体３の上部に巻き付ける帯状（紐状でもよい）の巻き部材２４を備えている。この巻き部材２４は、図３（ａ）〜（ｅ）に示すように、一端が固定部２０の前面における上部の左右両側に固定された一対のバンド部２４Ａ，２４Ａと、これらバンド部２４Ａ，２４Ａの先端部に備えた面ファスナー２４Ｂ，２４Ｂ（図３（ｅ）のみ図示）とから構成されている。一対のバンド部２４Ａ，２４Ａは、スプレー缶２の缶本体３の上部に巻き付けた状態において両者の先端部が重複する部分を有するように長さを設定している。そして、その重複する先端部に、前記面ファスナー２４Ｂ，２４Ｂ（図３（ｅ）のみ図示）を備えている。従って、一方のバンド部２４Ａを缶本体３に巻き付けるとともに他方のバンド部２４Ａを缶本体３に巻き付けながら一方のバンド部２４Ａに重ね合わせることによって、一方のバンド部２４Ａの外面に備えている面ファスナー２４Ｂに他方のバンド部２４Ａの内面に備えている面ファスナー２４Ｂを係合させる（図３（ｅ）参照）。これによって、缶本体３が動くことがないように固定部２０に固定することができる。前記両方の面ファスナー２４Ｂ，２４Ｂ同士の係合を解除することによって、スプレー缶２を保持部２１から取り出すことができる。
【００３２】
押部材１８は、図１（ａ）及び図２（ａ），（ｂ）に示すように、他方の把持部６が差し込まれて固定される金属製の基部２５と、基部２５の先端に取り付けられる金属製で板状部２６とを備えている。
【００３３】
基部２５は、後端に他方の把持部６を挿入するための挿入用の開口（図示せず）が形成された箱型状に構成され、把持部６に形成された孔（図示せず）に係止する係止ピン（図示せず）を係止操作するための摘み２５Ａを備えている。従って、基部２５に把持部６を挿入し、係止ピンを把持部６の孔に係止することによって、把持部６が基部２５から抜けることがないように固定することができる。
【００３４】
板状部２６は、前後方向に長い長方形状の板部材からなり、その後端部が基部２５の前端部の下面の左右中央部に形成された切欠き２５Ａに嵌め込まれ、一対のビス２７，２７により締め付け固定されている。そして、板状部２６の裏面の前側の左右中央部にキャップ４Ｂに当接する当接部２６Ａを備えている。この当接部２６Ａの下面２６ａは、前端に向かうほど下方に位置する傾斜面に構成されており、図１（ｂ）に示すように、当接部２６Ａの下面２６ａがキャップ４Ｂに当接するときに、当接部２６Ａの下面２６ａが水平面となることでキャップ４Ｂに当接する面積が多くなり、当接部２６Ａの下面２６ａでキャップ４Ｂを安定よく押すことができる利点がある。
【００３５】
次に、スプレー缶２を間接活線工具に取り付けたアダプタ１に保持させてから、スプレー缶２の缶本体３内の噴射物を噴射させる手順について説明する。
【００３６】
まず、保持部２１にスプレー缶２の缶本体３を収容した後、巻き部材２４を缶本体３の上部に巻き付けて缶本体３が動くことがないように固定する。この状態で噴射したい場所まで移動した後、図１（ａ）に示すように、噴射したい方向にスプレー缶２のキャップ４Ｂの噴射口が向くようにセットする。この状態から、操作レバー１０をコイルスプリングの付勢力に抗して握ることによって図１（ｂ）に示すように、連結ロッド９を操作レバー１０側へ引く。これによって、他方の把持部６が一方の把持部５に接近するように回転する。この回転によって、板状部２６の当接部２６Ａがスプレー缶２のキャップ４Ｂに当接してキャップ４Ｂを押して噴射物を噴射する。
【００３７】
前述のように、スプレー缶２の缶本体３を間接活線工具の保持部２１に収容した時に、背の高いスプレー缶２である場合には、回転ハンドル２３Ｂを一方側に回転させることによって、板部材２２の後面に当接している螺軸２３Ａの先端を非当接状態に切り替える。こののち、固定部２０に対する保持部２１の高さを調整して、例えば背の低いスプレー缶２のキャップ４Ｂの高さ位置と同じ位置になるようにする（図３（ｃ），（ｄ）参照）。調整後は、高さ位置が変更されないように板部材２２を片手で支持しながら回転ハンドル２３Ｂを他方側に回転させることによって、板部材２２の後面に螺軸２３Ａの先端を当接させて板部材２２が固定部２０に対して動くことがないように固定する。
【００３８】
なお、本発明に係る間接活線工具に用いるアダプタは、上記実施形態に限定されるものではなく、本発明の要旨を逸脱しない範囲内において、種々変更することができる。
【００３９】
例えば、アダプタ１を構成する缶本体保持部材１７を、図４（ａ），（ｂ）に示すように、間接活線工具が上向き姿勢である場合でも、常に水平姿勢を維持することができるように構成してもよい。具体的には、缶本体保持部材１７の保持部２１に一体化されているＬ字状の支持部２８を一方の基部１９の先端に軸２９を介して回転自在に取り付け、間接活線工具がどの向きの姿勢（図４（ａ），（ｂ）では上向き姿勢）であっても、保持部２１が水平姿勢となるように軸２９回りで回転するように保持部２１の重心を設定している。よって、間接活線工具がどの向きの姿勢であっても、噴射物を常に水平方向に噴射することができる。また、保持部２１を基部１９に対して任意の角度で固定することができるように構成しておけば、基部１９に対する保持部２１の角度を作業者の所望角度にしてから作業を行うことができる。また、保持部２１が水平姿勢を維持できる第１状態と任意の角度で固定できる第２状態とに切り替えることができる構成であってもよい。尚、図４（ａ），（ｂ）で説明しなかった他の構成は、図１〜図３で示した構成と同一であるため、同一符号を付すとともに説明を省略する。
【００４０】
上記実施形態では、アダプタ１が把持部５，６に対して着脱自在に取り付ける構成であったが、アダプタ１が把持部５，６に対して着脱できない固定型のものから構成してもよい。
【００４１】
また、上記実施形態では、スプレー缶２の缶本体３の上部に巻き付ける巻き部材２４を設けたが、省略してもよい。巻き部材２４を省略する場合には、他の方法、例えば保持部２１の内部にスプレー缶２の缶本体３を保持部２１に収容したときに、缶本体３の外面を押す弾性体を保持部２１内に設けて、弾性体の弾性力により缶本体３が保持部２１から動かないように固定することが好ましい。
【符号の説明】
【００４２】
１…アダプタ、２…スプレー缶、３…缶本体、４…押下部、４Ａ…ステム、４Ｂ…キャップ、５，６…把持部、７…操作部、８…操作ロッド、９…連結ロッド、１０…操作レバー、１１…取付金具、１１Ａ…基部、１１Ｂ…把持部用取付部、１２，１３…絶縁傘、１４…支持部材、１５，１６…支軸、１７…缶本体保持部材、１８…押部材、１９…基部、１９Ｂ…先端面、２０…固定部、２０Ａ…空間、２０Ｂ…ネジ孔、２１…保持部、２２…板部材、２２Ａ…本体部、２２Ｂ…前側部、２３…回転操作部、２３Ａ…螺軸、２３Ｂ…回転ハンドル、２４…部材、２４Ａ…バンド部、２４Ｂ…面ファスナー、２５…基部、２６…板状部、２６Ａ…当接部、２６ａ…下面、２７…ビス、２８…支持部、２９…軸
【図１】
0005946883.tif 000002
【図２】
0005946883.tif 000003
【図３】
0005946883.tif 000004
【図４】
0005946883.tif 000005